(57)【要約】【課題】照明器の光源等に工夫を凝らし、色調精度のバラツキを無くして高品質な刷り物が可能となる印刷機の照明装置を提供する。【解決手段】刷見本１９と枚葉紙１とが載置される刷見台１４と、前記刷見本１９と前記枚葉紙１とを照らす照明器２０とを備え、前記照明器２０は、当該照明器２０から照射される光の各波長の強さが異なる少なくとも２つの状態に切り替える。【選択図】図１Ａ
2011073413.tif 000002
【特許請求の範囲】
【請求項１】
刷見本と印刷物とが載置される台と、
前記刷見本と前記印刷物とを照らす照明器とを備え、
前記照明器は、当該照明器から照射される光の各波長の強さが異なる少なくとも２つの状態に切り替えることを特徴とする印刷機の照明装置。
【請求項２】
前記照明器は、光の各波長の強さが異なる複数の種類の光源に切り替えられることを特徴とする請求項１記載の印刷機の照明装置。
【請求項３】
前記光の各波長の強さが異なる複数の種類の光源は、白色光光源と自然光光源であることを特徴とする請求項２記載の印刷機の照明装置。
【請求項４】
前記照明器は、１種類の光源を光の各波長の強さが異なる複数の種類に切り替えられることを特徴とする請求項１記載の印刷機の照明装置。
【請求項５】
前記１種類の光源を、白色光光源と自然光光源に切り替えることを特徴とする請求項４記載の印刷機の照明装置。
【発明の詳細な説明】
【技術分野】
【０００１】
本発明は、印刷物と刷見本とを比較しながら印刷機のインキ装置などを遠隔操作によって制御する際に好適な印刷機の照明装置に関する。
【背景技術】
【０００２】
印刷作業においては、一般に本刷りに先立ち校正刷り機又は本刷り機で刷見本が作られ、この刷見本に基づいて本刷り用印刷機の各色のインキ出し量や給水量及び見当などを調整しながら印刷が行われることは良く知られている。
【０００３】
そして、前記調整は、特許文献１に開示されているように、印刷機の制御台上で行われる。即ち、制御台における刷見台上に載置された印刷物と刷見ボード上に載置された刷見本とを照明器で照射して比較し、対処するようになっているのである。
【先行技術文献】
【特許文献】
【０００４】
【特許文献１】実開昭５８−３９８６５号公報
【発明の概要】
【発明が解決しようとする課題】
【０００５】
しかしながら、従来の制御台にあっては、照明器の光源として蛍光灯を使用していたため、印刷物の色合わせ（校正刷り）後、印刷物の使用状態（製本、ポスター等印刷物の最終商品状態）での光源（室内・室外）が蛍光灯でない場合、即ち、光源が一致しない場合、色調が異なって印刷物の品質低下を招来するという問題点があった。
【０００６】
即ち、図６に示すように、色合わせ（校正刷り）を蛍光灯の照明下で行った印刷物を室内等の蛍光灯の照明下で最終商品として使用する場合はＯＫである（印刷パターンＣ参照）が、色合わせ（校正刷り）を蛍光灯の照明下で行った印刷物を室外等の自然光（昼光）の下で最終商品として使用する場合はＮＧとなる（印刷パターンＤ参照）のである。
【０００７】
そこで、本発明は、照明器の光源等に工夫を凝らし、色調精度のバラツキを無くして高品質な刷り物が可能となる印刷機の照明装置を提供することを目的とする。
【課題を解決するための手段】
【０００８】
斯かる目的を達成するための本発明に係る印刷機の照明装置は、
刷見本と印刷物とが載置される台と、
前記刷見本と前記印刷物とを照らす照明器とを備え、
前記照明器は、当該照明器から照射される光の各波長の強さが異なる少なくとも２つの状態に切り替えることを特徴とする。
【０００９】
また、
前記照明器は、光の各波長の強さが異なる複数の種類の光源に切り替えられることを特徴とする。
【００１０】
また、
前記光の各波長の強さが異なる複数の種類の光源は、白色光光源と自然光光源であることを特徴とする。
【００１１】
また、
前記照明器は、１種類の光源を光の各波長の強さが異なる複数の種類に切り替えられることを特徴とする。
【００１２】
また、
前記１種類の光源を、白色光光源と自然光光源に切り替えることを特徴とする。
【発明の効果】
【００１３】
本発明に係る印刷機の照明装置によれば、色合わせ（校正刷り）時に、印刷物の使用状態の光源で色合わせ（校正刷り）を行うので、印刷物の使用状態の色が再現でき、色調精度のバラツキを無くして高品質な刷り物が可能となる。
【図面の簡単な説明】
【００１４】
【図１Ａ】本発明の実施例１を示す照明装置の一使用例の側面図である。
【図１Ｂ】同じく照明装置の一使用例の正面図である。
【図２Ａ】同じく照明装置の他の使用例の側面図である。
【図２Ｂ】同じく照明装置の他の使用例の正面図である。
【図３Ａ】本発明の実施例２を示す照明装置の一使用例の側面図である。
【図３Ｂ】同じく照明装置の一使用例の正面図である。
【図４Ａ】同じく照明装置の他の使用例の側面図である。
【図４Ｂ】同じく照明装置の他の使用例の正面図である。
【図５】本発明の実施例１における印刷パターンの説明図である。
【図６】従来例における印刷パターンの説明図である。
【図７】光源のスペクトルの説明図である。
【発明を実施するための形態】
【００１５】
以下、本発明に係る印刷機の照明装置を実施例により図面を用いて詳細に説明する。
【実施例１】
【００１６】
図１Ａは本発明の実施例１を示す照明装置の一使用例の側面図、図１Ｂは同じく照明装置の一使用例の正面図、図２Ａは同じく照明装置の他の使用例の側面図、図２Ｂは同じく照明装置の他の使用例の正面図、図５は同じく印刷パターンの説明図である。
【００１７】
図１Ａ及び図１Ｂに示すように、印刷機に近接する床上には、印刷機のインキ装置などとの間を電気配線で接続された照明装置１０が設置されている。この照明装置１０は、マイクロコンピュータ等の制御装置を内蔵する本体１１を備えており、その上面は、この照明装置１０に対向する作業者１２に対して手前側が低くなるように傾斜されている。
【００１８】
この本体１１の傾斜上面の手前側と向かって右側には、印刷機のインキ装置におけるインキ出し量を各セクション毎に表示する図示しない表示部と、インキ装置、給水装置、見当装置などを操作する押しボタン類を備えた図示しない操作部とが組み込まれている。また、傾斜上面の前記表示部と操作部とを除く箇所には、印刷機で印刷された本刷りの枚葉紙（印刷物）１３を載置する刷見台（台）１４が一体形成されている。
【００１９】
さらに、本体１１の後部には適宜ステー１５を介して逆Ｌ字状のスタンド１６が立設され、このスタンド１６の垂直部の前面に適宜ステー１７を介して付設された刷見ボード（台）１８上には刷見本１９が適宜の保持手段により載置されている。
【００２０】
スタンド１６の水平部の下面には、枚葉紙１３と刷見本１９とを照射する照明器２０が架設され、この照明器２０は白色光光源としての蛍光灯（Ａ）と自然光光源としての自然光ＬＥＤ（発光ダイオード：Ｂ）との二つの光源を備え、本体１１の傾斜上面に設けた選択スイッチ２１により、枚葉紙１３の使用状態（製本、ポスター等印刷物の最終商品状態）に応じて選択し得るようになっている。
【００２１】
前記自然光ＬＥＤ（Ｂ）は、図７のスペクトルＳ１でも解るように、自然光（図７のスペクトルＳ２参照）に近いスペクトルを有し、物体の色を中実に再現することができる。尚、図７中スペクトルＳ３は一般的な白色ＬＥＤのスペクトルで青色が強く物体の色の再現が不十分であり、また、スペクトルＳ４は蛍光灯（白色）のスペクトルで特定の波長の強さが非常に高く物体の色の再現が不十分である。
【００２２】
このように構成された照明装置１０において、作業者１２は校正刷り機又は本刷り機で印刷した刷見本１９を刷見ボード１８上に載置して印刷作業を開始、所定枚数印刷毎に本刷り見本としての印刷紙１３を本機の排紙装置から抜き取って刷見台１４上に載置する。
【００２３】
そして、刷見本１９と印刷紙１３とを照明器２０による照明下で目視によって比較し、差異のあるときには例えば表示部にインキ装置の各セクション毎に表示されたインキ出し量を見ながら押しボタンを操作してインキ出し量を調節し、色合わせ（校正刷り）をする。
【００２４】
この際、枚葉紙１３を室内等の蛍光灯の照明下で最終商品として使用する場合は、図１Ａ及び図１Ｂに示すように、照明器２０における光源として蛍光灯（Ａ）（自然光ＬＥＤ（Ｂ）の光の各波長の強さと異なる光の各波長の強さ）を選択する。これにより、図５の印刷パターンＡに示すように、室内等の蛍光灯による照明下では枚葉紙１３の使用状態の色が再現できる。尚、白色光光源としての蛍光灯（Ａ）は特定の色として特に青色を用いた印刷物の再現性に優れる。
【００２５】
一方、枚葉紙１３を室外等の自然光の下で最終商品として使用する場合は、図２Ａ及び図２Ｂに示すように、照明器２０における光源として自然光ＬＥＤ（Ｂ）（蛍光灯（Ａ）の光の各波長の強さと異なる光の各波長の強さ）を選択する。これにより、図５の印刷パターンＢに示すように、室外等の自然光の下では枚葉紙１３の使用状態の色が再現できる。
【００２６】
このようにして、色合わせ（校正刷り）時に、枚葉紙１３の使用状態の光源で色合わせ（校正刷り）を行うので、枚葉紙１３の使用状態の色が再現でき、色調精度のバラツキを無くして高品質な刷り物が可能となる。
【００２７】
また、自然光ＬＥＤ（Ｂ）は、消費電力を大幅に低減するだけでなく、発熱が少量であるためスタンド１６等への熱影響が少ない、瞬時に点灯・消灯が可能で作業上の待ち時間が短縮できる、長寿命でメンテナンスの負担が軽減できる、等の利点がある。
【実施例２】
【００２８】
図３Ａは本発明の実施例２を示す照明装置の一使用例の側面図、図３Ｂは同じく照明装置の一使用例の正面図、図４Ａは同じく照明装置の他の使用例の側面図、図４Ｂは同じく照明装置の他の使用例の正面図である。
【００２９】
これは、実施例１における照明器２０の光源として自然光光源としての自然光ＬＥＤ（Ｂ）と白色光光源としての白色ＬＥＤ（Ｂａ）とを選択可能に構成した例である。厳密にはＬＥＤの光の各波長の強さを切り換えることで、自然光ＬＥＤ（Ｂ）と白色ＬＥＤ（Ｂａ）の光源が得られるのである。その他の構成は実施例１と同様なので、重複する説明は省略する。
【００３０】
この実施例によっても、枚葉紙１３を室外等の自然光の下で最終商品として使用する場合は、図３Ａ及び図３Ｂに示すように、照明器２０における光源として自然光ＬＥＤ（Ｂ）を選択する、即ち、自然光ＬＥＤ（Ｂ）側にＬＥＤの光の各波長の強さを切り換えることで、室外等の自然光の下では枚葉紙１３の使用状態の色が再現できる。
【００３１】
一方、枚葉紙１３を室内等の白色ＬＥＤ（Ｂａ）の照明下で最終商品として使用する場合は、図４Ａ及び図４Ｂに示すように、照明器２０における光源として白色ＬＥＤ（Ｂａ）を選択する、即ち、白色ＬＥＤ（Ｂａ）側にＬＥＤの光の各波長の強さを切り換えることで、室内等の白色ＬＥＤ（Ｂａ）の照明下では枚葉紙１３の使用状態の色が再現できる。尚、白色光光源としての白色ＬＥＤ（Ｂａ）は特定の色として特に青色を用いた印刷物の再現性に優れる。
【００３２】
尚、本発明は上記各実施例に限定されず、本発明の要旨を逸脱しない範囲で、各種変更が可能であることはいうまでもない。例えば、自然光光源として自然光ＬＥＤや一般的な白色ＬＥＤに限らず、光分布可能な光源を用いても良い。また、印刷物の別の使用目的に応じて、自然光光源と白色光光源以外の光源をさらに設けても良いし、自然光光源と白色光光源の光の各波長の強さが異なる別の光の各波長の強さに切り替えるようにしても良い。
【符号の説明】
【００３３】
１０  照明装置
１１  本体
１２  作業者
１３  枚葉紙（印刷物）
１４  刷見台
１５  ステー
１６  スタンド
１７  ステー
１８  刷見ボード
１９  刷見本
２０  照明器
Ａ  蛍光灯
Ｂ  自然光ＬＥＤ
Ｂａ  一般的な白色ＬＥＤ
【図１Ａ】
2011073413.tif 000003
【図１Ｂ】
2011073413.tif 000004
【図２Ａ】
2011073413.tif 000005
【図２Ｂ】
2011073413.tif 000006
【図３Ａ】
2011073413.tif 000007
【図３Ｂ】
2011073413.tif 000008
【図４Ａ】
2011073413.tif 000009
【図４Ｂ】
2011073413.tif 000010
【図５】
2011073413.tif 000011
【図６】
2011073413.tif 000012
【図７】
2011073413.tif 000013